(57)【要約】      （修正有）【課題】除電によらなくても、ゴーストのない画像を出力できる電子写真装置を提供する。【解決手段】中間転写方式の電子写真装置において、感光層が（１）式の化合物を含有する。2005091726.tif 000010【選択図】  なし【特許請求の範囲】
【請求項１】
支持体上に電荷発生物質および電荷輸送物質を含有する感光層を有する電子写真感光体と、中間転写体と、該電子写真感光体の表面を帯電するための帯電手段と、該帯電手段により帯電された該電子写真感光体の表面に露光光により静電潜像を形成するための露光手段と、該露光手段により形成された該電子写真感光体の表面の静電潜像をトナーにより現像してトナー像を形成するための現像手段と、該現像手段により形成された該電子写真感光体の表面のトナー像を該中間転写体の表面に一次転写するための一次転写手段と、該一次転写手段により一次転写された該中間転写体の表面のトナー像を転写材に二次転写するための二次転写手段とを有する電子写真装置において、
該電子写真感光体の感光層が下記式（１）で示される構造を有する化合物を含有することを特徴とする電子写真装置。
【化１】
2005091726.tif 000009
【請求項２】
前記電荷発生物質の少なくとも１種がフタロシアニン顔料である請求項１に記載の電子写真装置。
【請求項３】
前記電子写真感光体の感光層が前記支持体側から前記電荷発生物質を含有する電荷発生層、前記電荷輸送物質を含有する電荷輸送層の順に積層した積層型感光層であり、該電荷発生層が前記式（１）で示される構造を有する化合物を含有する請求項１または２に記載の電子写真装置。
【発明の詳細な説明】
【技術分野】
【０００１】
本発明は、電子写真装置に関し、詳しくは、中間転写方式を採用した電子写真装置に関する。
【背景技術】
【０００２】
従来、画像形成装置には、電子写真方式、熱転写方式、インクジェット方式など様々な方式が採用されている。これらのうち、電子写真方式を採用した画像形成装置（電子写真装置）は、他の方式を採用した画像形成装置と比較して、高速、高画質、静粛性の点で優位性を有している。
【０００３】
また、モノクロームの電子写真装置だけではなく、多色（カラー）の電子写真装置（カラー電子写真装置）も、近年普及してきている。
【０００４】
カラー電子写真装置の方式としては、１つの電子写真感光体で露光・現像を１色ずつ順次行い、各色のトナー像を中間転写体（中間転写ドラム・中間転写ベルトなど）上に順次一次転写した後、これを転写材上に一括して二次転写することでカラー画像を形成する方式や、直列に配置された各色用の画像形成部（電子写真感光体・露光手段・現像手段を有する）において各色のトナー像をそれぞれ形成し、各色のトナー像を中間転写体（中間転写ドラム・中間転写ベルトなど）上に順次一次転写した後、これを転写材上に一括して二次転写することでカラー画像を形成する方式などの、いわゆる中間転写方式がよく知られている。
【０００５】
中間転写方式では、中間転写体上に前色のトナー像が一次転写されている状態で次色のトナー像の一次転写が行われるため、一次転写バイアスの設定に制約がある。すなわち、一次転写バイアスが強すぎると、次色の一次転写時にトナー像の再転写現象（トナーが中間転写体から電子写真感光体に戻る現象）が起こり、結果、それは廃トナーとなるため、無駄にトナーを消費してしまうことになる。一方、一次転写バイアスが弱すぎると、次色の一次転写時の一次転写バイアスのかかり方が、前色のトナー像のトナーが存在している箇所と存在していない箇所との間で大きく異なってしまい、結果、出力画像にゴーストが発生してしまうことになる。
【０００６】
出力画像へのゴーストの発生を抑える方法としては、電子写真感光体の表面のトナー像を中間転写体の表面に一次転写した後、次色のトナー像形成のための帯電（一次帯電）の前に、除電ブラシや一次帯電前露光手段による除電によって電子写真感光体の表面電位を均一化する方法が知られている（特開平０５−１４２９１３号公報、特開平０６−０３５３４１号公報など）。
【特許文献１】特開平０５−１４２９１３号公報
【特許文献２】特開平０６−０３５３４１号公報
【発明の開示】
【発明が解決しようとする課題】
【０００７】
しかしながら、これら除電による方法は、出力画像にゴーストが発生することを抑制できるものの、コスト面や電子写真装置の小型化の面で不利である。
【０００８】
本発明の目的は、上記のような除電によらなくても、ゴーストのない画像を出力できる電子写真装置を提供することにある。
【課題を解決するための手段】
【０００９】
本発明は、支持体上に電荷発生物質および電荷輸送物質を含有する感光層を有する電子写真感光体と、中間転写体と、該電子写真感光体の表面を帯電するための帯電手段と、該帯電手段により帯電された該電子写真感光体の表面に露光光により静電潜像を形成するための露光手段と、該露光手段により形成された該電子写真感光体の表面の静電潜像をトナーにより現像してトナー像を形成するための現像手段と、該現像手段により形成された該電子写真感光体の表面のトナー像を該中間転写体の表面に一次転写するための一次転写手段と、該一次転写手段により一次転写された該中間転写体の表面のトナー像を転写材に二次転写するための二次転写手段とを有する電子写真装置において、
該電子写真感光体の感光層が下記式（１）で示される構造を有する化合物を含有することを特徴とする電子写真装置である。
【００１０】
【化１】
2005091726.tif 000002
【発明の効果】
【００１１】
本発明によれば、上記のような除電によらなくても、ゴーストのない画像を出力できる電子写真装置を提供することができる。
【発明を実施するための最良の形態】
【００１２】
以下、本発明をより詳細に説明する。
【００１３】
なお、以下の説明において、４色（イエロー、マゼンタ、シアン、ブラック）の例を挙げたが、本発明における「カラー」とは、４色に限定されるものではなく、多色、すなわち２種以上の色である。
【００１４】
図１に、本発明の中間転写方式の電子写真装置の概略構成の一例を示す。
【００１５】
図１において、１Ｙ、１Ｍ、１Ｃ、１Ｋはドラム状の本発明の電子写真感光体（第１色〜第４色用電子写真感光体）であり、それぞれ軸２Ｙ、２Ｍ、２Ｃ、２Ｋを中心に矢印方向に所定の周速度で回転駆動される。
【００１６】
回転駆動される第１色用電子写真感光体１Ｙの周面は、第１色用帯電手段（第１色用一次帯電手段）３Ｙにより、正または負の所定電位に均一に帯電され、次いで、スリット露光やレーザービーム走査露光などの露光手段（不図示）から出力される露光光（画像露光光）４Ｙを受ける。露光光４Ｙは、目的のカラー画像の第１色成分像（例えばイエロー成分像）に対応した露光光である。こうして第１色用電子写真感光体１Ｙの周面に、目的のカラー画像の第１色成分像に対応した第１色成分静電潜像（イエロー成分静電潜像）が順次形成されていく。
【００１７】
張架ローラー１２および二次転写対向ローラー１３によって張架された中間転写体（中間転写ベルト）１１は、矢印方向に第１色〜第４色用電子写真感光体１Ｙ、１Ｍ、１Ｃ、１Ｋとほぼ同じ周速度（例えば第１色〜第４色用電子写真感光体１Ｙ、１Ｍ、１Ｃ、１Ｋの周速度に対して９７〜１０３％）で回転駆動される。
【００１８】
第１色用電子写真感光体１Ｙの周面に形成された第１色成分静電潜像は、第１色用現像手段５Ｙのトナーにより現像されて第１色トナー画像（イエロートナー画像）となる。次いで、第１色用電子写真感光体１Ｙの周面に形成担持されている第１色トナー画像が、第１色用一次転写手段（第１色用転写ローラー）６Ｙからの一次転写バイアスによって、第１色用電子写真感光体１Ｙと第１色用一次転写手段６Ｙとの間を通過する中間転写体１１に順次一次転写されていく。
【００１９】
第１色トナー画像一次転写後の第１色用電子写真感光体１Ｙの周面は、第１色用クリーニング手段（第１色用クリーニングブレード）７Ｙによって一次転写残トナーの除去を受けて清浄面化された後、繰り返し第１色トナー画像形成に使用される。
【００２０】
第１色用電子写真感光体１Ｙ、第１色用帯電手段３Ｙ、第１色成分像に対応した露光光４Ｙを出力する第１色用露光手段、第１色用現像手段５Ｙ、第１色用転写手段６Ｙをまとめて第１色用画像形成部と称する。
【００２１】
第２色用電子写真感光体１Ｍ、第２色用帯電手段３Ｍ、第２色成分像に対応した露光光４Ｍを出力する第２色用露光手段、第２色用現像手段５Ｍ、第２色用転写手段６Ｍを有する第２色用画像形成部、第３色用電子写真感光体１Ｃ、第３色用帯電手段３Ｃ、第３色成分像に対応した露光光４Ｃを出力する第３色用露光手段、第３色用現像手段５Ｃ、第３色用転写手段６Ｃを有する第３色用画像形成部、第４色用電子写真感光体１Ｋ、第４色用帯電手段３Ｋ、第４色成分像に対応した露光光４Ｋを出力する第４色用露光手段、第４色用現像手段５Ｋ、第４色用転写手段６Ｋを有する第４色用画像形成部の動作は、第１色用画像形成部の動作と同様であり、第１色トナー画像が転写された中間転写体１１に、第２色トナー画像（マゼンタトナー画像）、第３色トナー画像（シアントナー画像）、第４色トナー画像（ブラックトナー画像）が順次一次転写されていく。こうして中間転写体１１に目的のカラー画像に対応した合成トナー画像が形成される。
【００２２】
中間転写体１１の周面に形成された合成トナー画像は、二次転写手段６ｓからの二次転写バイアスによって、転写材供給手段（不図示）から中間転写体１１と二次転写手段６ｓとの間（当接部）に中間転写体１１の回転と同期して取り出されて給送された転写材（紙など）Ｐに順次二次転写されていく。
【００２３】
合成トナー画像の転写を受けた転写材Ｐは、中間転写体１１の周面から分離されて定着手段８へ導入されて像定着を受けることによりカラー画像形成物（プリント、コピー）として装置外へプリントアウトされる。
【００２４】
合成トナー画像二次転写後の中間転写体１１の周面は、中間転写体用クリーニング手段（中間転写体用クリーニングブレード）７ｂによって二次転写残トナーの除去を受けて清浄面化された後、繰り返し合成トナー画像形成に使用される。
【００２５】
次に、本発明の電子写真装置に用いられる電子写真感光体の構成について説明する。
【００２６】
上述のとおり、本発明の電子写真装置用の電子写真感光体は、支持体上に上記式（１）で示される構造を有する化合物を含有する感光層を有する電子写真感光体である。
【００２７】
感光層は、電荷輸送物質と電荷発生物質を同一の層に含有する単層型感光層であっても、電荷発生物質を含有する電荷発生層と電荷輸送物質を含有する電荷輸送層とに分離した積層型（機能分離型）感光層であってもよいが、電子写真特性の観点からは積層型感光層が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型感光層が好ましい。
【００２８】
また、積層型感光層の場合、上記式（１）で示される構造を有する化合物は、電荷発生層に含有させることが好ましい。
【００２９】
支持体としては、導電性を有していればよく、例えば、アルミニウム、アルミニウム合金、ステンレスなどの金属製の支持体を用いることができる。また、アルミニウム、アルミニウム合金、酸化インジウム−酸化スズ合金などを真空蒸着によって被膜形成された層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチックなどを用いることもできる。
【００３０】
支持体の表面には、レーザー光などの散乱による干渉縞の防止を目的として、ホーニング処理やバイト切削処理を施してもよい。
【００３１】
また、レーザー光などの散乱による干渉縞の防止や、支持体の傷の被覆を目的とした導電層を設けてもよい。導電層は、カーボンブラック、金属粒子などの導電性粒子を結着樹脂に分散させて形成することができる。支持体の表面にホーニング処理やバイト切削処理が施されている場合は、支持体の傷の被覆が主目的となるため、導電層の膜厚は１〜１０μｍであることが好ましく、特には１〜５μｍであることがより好ましい。支持体の表面にホーニング処理やバイト切削処理が施されていない（干渉縞対策が施されていない）場合は、レーザー光などの散乱による干渉縞の防止と、支持体の傷の被覆とが目的となるため、導電層の膜厚は１〜４０μｍであることが好ましく、特には３〜２０μｍであることがより好ましい。
【００３２】
また、支持体または導電層と感光層（電荷発生層、電荷輸送層）との間には、バリア機能や接着機能を有する中間層を設けてもよい。中間層は、感光層の接着性改良、塗工性改良、支持体からの電荷注入性改良、感光層の電気的破壊に対する保護などのために形成される。中間層は、カゼイン、ポリビニルアルコール、エチルセルロース、エチレン−アクリル酸コポリマー、ポリアミド、変性ポリアミド、ポリウレタン、ゼラチン、酸化アルミニウムなどの材料を用いて形成することができる。中間層の膜厚は０．０５〜５μｍであることが好ましく、特には０．３〜１μｍであることがより好ましい。
【００３３】
本発明の電子写真装置用の電子写真感光体に用いられる電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アンスラキノン、ピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、シアニン染料や、キサンテン色素や、キノンイミン色素や、スチリル色素や、硫化カドミウムや、酸化亜鉛などが挙げられる。これらの中でも、フタロシアニン顔料が、高感度である一方でゴーストが発生しやすい顔料であり、本発明がより効果的に作用するため好ましい。フタロシアニン顔料の中でも、オキシチタニウムフタロシアニン、ヒドロキシガリウムフタロシアニン、クロロガリウムフタロシアニンがより好ましい。これら電荷発生物質は１種のみ用いてもよく、２種以上用いてもよい。
【００３４】
感光層が積層型感光層である場合、電荷発生層に用いる結着樹脂としては、例えば、ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂、塩化ビニル−酢酸ビニル共重合体樹脂などが挙げられる。これらは単独、混合または共重合体として１種または２種以上用いることができる。
【００３５】
電荷発生層用塗布液に用いる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物などが挙げられる。
【００３６】
電荷発生層は、電荷発生物質を結着樹脂および溶剤、さらには上記式（１）で示される構造を有する化合物と共に分散して得られる電荷発生層用塗布液を塗布し、乾燥することによって形成することができる。分散方法としては、ホモジナイザー、超音波、ボールミル、サンドミル、アトライター、ロールミルなどを用いた方法が挙げられる。電荷発生物質と結着樹脂との割合は、１：０．３〜１：４（質量比）の範囲が好ましい。また、上記式（１）で示される構造を有する化合物と電荷発生物質との割合は、１：０．３〜１：４（質量比）の範囲が好ましい。
【００３７】
電荷発生層用塗布液を塗布する際には、例えば、浸漬コーティング法、スプレーコーティング法、スピンナーコーティング法、ローラーコーティング法、マイヤーバーコーティング法、ブレードコーティング法などの塗布方法を用いることができる。
【００３８】
電荷発生層の膜厚は５μｍ以下であることが好ましく、特には０．１〜２μｍであることがより好ましい。
【００３９】
また、電荷発生層には、種々の増感剤、酸化防止剤、紫外線吸収剤、可塑剤などを必要に応じて添加することもできる。
【００４０】
本発明の電子写真装置用の電子写真感光体に用いられる電荷輸送物質としては、トリアリールアミン化合物、ヒドラゾン化合物、スチリル化合物、スチルベン化合物、ピラゾリン化合物、オキサゾール化合物、チアゾール化合物、トリアリールメタン化合物などが挙げられる。
【００４１】
感光層が積層型感光層である場合、電荷輸送層に用いる結着樹脂としては、例えば、アクリル樹脂、スチレン樹脂、ポリエステル樹脂、ポリカーボネート樹脂、ポリアリレート樹脂、ポリサルホン樹脂、ポリフェニレンオキシド樹脂、エポキシ樹脂、ポリウレタン樹脂、アルキド樹脂、不飽和樹脂などが挙げられる。特には、ポリメチルメタクリレート樹脂、ポリスチレン樹脂、スチレン−アクリロニトリル共重合体樹脂、ポリカーボネート樹脂、ポリアリレート樹脂、ジアリルフタレート樹脂などが好ましい。これらは単独、混合または共重合体として１種または２種以上用いることができる。
【００４２】
電荷輸送層は、電荷輸送物質と結着樹脂を溶剤に溶解して得られる電荷輸送層用塗布液を塗布し、乾燥することによって形成することができる。電荷輸送物質と結着樹脂との割合は、２：１〜１：２（質量比）の範囲が好ましい。
【００４３】
電荷輸送層用塗布液に用いる溶剤としては、アセトン、メチルエチルケトンなどのケトン、酢酸メチル、酢酸エチルなどのエステル、トルエン、キシレンなどの芳香族炭化水素、クロロベンゼン、クロロホルム、四塩化炭素などのハロゲン原子で置換された炭化水素などが用いられる。
【００４４】
電荷輸送層用塗布液を塗布する際には、例えば、浸漬コーティング法、スプレーコーティング法、スピンナーコーティング法、ローラーコーティング法、マイヤーバーコーティング法、ブレードコーティング法などの塗布方法を用いることができる。
【００４５】
電荷輸送層の膜厚は５〜４０μｍであることが好ましく、特には１５〜３０μｍであることがより好ましい。
【００４６】
また、電荷輸送層には、酸化防止剤、紫外線吸収剤、可塑剤などを必要に応じて添加することもできる。
【００４７】
感光層が単層型感光層である場合、該単層型感光層は、上記電荷発生物質および上記電荷輸送物質を上記結着樹脂および上記溶剤、さらには上記式（１）で示される構造を有する化合物と共に分散して得られる単層型感光層用塗布液を塗布し、乾燥することによって形成することができる。
【００４８】
単層型感光層の膜厚は５〜４０μｍであることが好ましく、特には１５〜３０μｍであることがより好ましい。
【００４９】
また、感光層上には、該感光層を保護することを目的とした保護層を設けてもよい。保護層は、上述した各種結着樹脂を溶剤に溶解して得られる保護層用塗布液を塗布し、乾燥することによって形成することができる。
【００５０】
保護層の膜厚は０．５〜１０μｍであることが好ましく、特には１〜５μｍであることが好ましい。
【００５１】
また、本発明の電子写真装置用の電子写真感光体の表面層（感光層または保護層）には、潤滑剤などを必要に応じて添加することもできる。
【００５２】
（実施例）
以下に、具体的な実施例を挙げて、本発明をさらに詳細に説明する。ただし、本発明は、これらの実施例に限定されるものではない。なお、実施例中の「部」は「質量部」を意味する。
【実施例１】
【００５３】
長さ３７０ｍｍ、直径３０ｍｍの干渉縞対策を施していないアルミニウムシリンダーを支持体として、この上に、以下の材料より構成される導電層用塗布液を支持体上に浸漬コーティングし、１４０℃で３０分間熱硬化し、膜厚が１５μｍの導電層を形成した。 
導電性顔料：ＳｎＯ２コート処理硫酸バリウム  １０部
抵抗調節用顔料：酸化チタン  ２部
結着樹脂：フェノール樹脂  ６部
レベリング剤：シリコーンオイル  ０．００１部
溶媒：メタノール／メトキシプロパノール＝１／４  ２０部
次に、導電層上に、Ｎ−メトキシメチル化ナイロン３部および共重合ナイロン３部を、メタノール６５部／ｎ−ブタノール３０部の混合溶媒に溶解した溶液を浸漬コーティングし、膜厚が０．５μｍの中間層を形成した。
【００５４】
次に、下記式
【００５５】
【化２】
2005091726.tif 000003
【００５６】
で示される構造を有し、ＣｕＫα特性Ｘ線回折におけるブラッグ角２θ±０．２°の７．３°、２４．９°、２８．１°に強いピークを有する結晶形のヒドロキシガリウムフタロシアニン４部、ポリビニルブチラール（商品名：エスレックＢＭ−２、積水化学工業（株）製）２部およびシクロヘキサノン８０部を、直径１ｍｍのガラスビーズを用いたサンドミル装置で４時間分散し、次に、エチルアセテート８０部を加えて攪拌し、次に、上記式（１）で示される構造を有する化合物６部を加えて攪拌し、電荷発生層用塗布液を調製した。
【００５７】
この電荷発生層用塗布液を、中間層上に浸漬コーティングし、１００℃で１０分間乾燥して、膜厚０．５μｍの電荷発生層を形成した。
【００５８】
次に、下記式
【００５９】
【化３】
2005091726.tif 000004
【００６０】
で示される構造を有するアミン化合物（Ａ）９０部、および、下記式
【００６１】
【化４】
2005091726.tif 000005
【００６２】
で示される構造を有するアミン化合物（Ｂ）１０部と、下記式
【００６３】
【化５】
2005091726.tif 000006
【００６４】
で示される繰り返し構造単位を有するビスフェノールＣ型ポリアリレート（粘度平均分子量：６１０００）１００部とを、モノクロロベンゼン７００部およびジメトキシメタン３００部に溶解し、電荷輸送層用塗布液を調製した。
【００６５】
この電荷輸送層用塗布液を、電荷発生層上に浸漬コーティングし、１１０℃で１０分間熱風乾燥して、膜厚２２μｍの電荷輸送層を形成した。
【００６６】
このようにして作製した電子写真感光体を、カラー電子写真装置（イエロー、マゼンタ、シアン、ブラックの４色）であるキヤノン（株）製「ｉＲＣ３２００Ｎ」の改造機に搭載した。改造としては、４つの電子写真感光体それぞれに２つずつ当接している除電ブラシをすべて取り外し、代わりに４つの電子写真感光体それぞれに１つずつウレタンゴム製のクリーニングブレードを当接させて廃トナー容器を取り付けた。
【００６７】
２３℃、５５％ＲＨの常温常湿環境下で通紙耐久試験を行った。
【００６８】
初期評価としては、電子写真感光体１回転目は、Ａ４紙１枚中に２ｃｍ×３ｃｍのべた赤画像２個、２ｃｍ×３ｃｍのべた緑画像２個、２ｃｍ×３ｃｍのべた紫画像２個を出力し、電子写真感光体２回転目以降は、グレーのハーフトーン画像を出力し、グレーのハーフトーン画像上に残っている２ｃｍ×３ｃｍのべた画像の残像（ゴースト）の有無を評価した。
【００６９】
なお、出力画像を顕微鏡で観察したところ、べた赤画像はイエローとマゼンタのトナーで、べた緑画像はイエローとシアンのトナーで、べた紫画像はマゼンタとシアンのトナーで形成され、グレーのハーフトーン画像は黒トナーのみにより形成されていた。また、本電子写真装置での色重ね順は、中間転写体へのトナー像の一次転写の早い順に、イエロー、マゼンタ、シアン、黒の順である。
【００７０】
次に、シーケンスはプリント１枚ごとに１回停止する間欠モードとし、３０００枚まで上記の画像パターンの画像出力を行ったところで、再度、電子写真感光体１回転目は、Ａ４紙１枚中に２ｃｍ×３ｃｍのべた赤画像２個、２ｃｍ×３ｃｍのべた緑画像２個、２ｃｍ×３ｃｍのべた紫画像２個を出力し、電子写真感光体２回転目以降は、グレーのハーフトーン画像を出力し、グレーのハーフトーン画像上に残っている２ｃｍ×３ｃｍのべた画像の残像（ゴースト）の有無を評価した。
【００７１】
次に、シーケンスを連続プリントモードとし、さらに３０００枚まで上記の画像パターンの画像出力を行ったところで、電子写真感光体１回転目は、Ａ４紙１枚中に２ｃｍ×３ｃｍのべた赤画像２個、２ｃｍ×３ｃｍのべた緑画像２個、２ｃｍ×３ｃｍのべた紫画像２個を出力し、電子写真感光体２回転目以降は、グレーのハーフトーン画像を出力し、グレーのハーフトーン画像上に残っている２ｃｍ×３ｃｍのべた画像の残像（ゴースト）の有無を評価した。
【００７２】
次に、３２．５℃、８５％ＲＨの高温高湿環境下で、連続プリント３０００枚の上記の画像パターンの画像出力を行ったところで、電子写真感光体１回転目は、Ａ４紙１枚中に２ｃｍ×３ｃｍのべた赤画像２個、２ｃｍ×３ｃｍのべた緑画像２個、２ｃｍ×３ｃｍのべた紫画像２個を出力し、電子写真感光体２回転目以降は、グレーのハーフトーン画像を出力し、グレーのハーフトーン画像上に残っている２ｃｍ×３ｃｍのべた画像の残像（ゴースト）の有無を評価した。
【００７３】
結果を表１に示す。
【実施例２】
【００７４】
実施例１において、上記式（１）で示される構造を有する化合物を２部とした以外は、実施例１と同様にして電子写真感光体を作製し、評価した。結果を表１に示す。
【００７５】
（比較例１）
実施例１において、上記式（１）で示される構造を有する化合物を使用しない以外は、実施例１と同様にして電子写真感光体を作製し、評価した。結果を表１に示す。
【実施例３】
【００７６】
実施例１において、電荷発生層用塗布液のヒドロキシガリウムフタロシアニンを７部とし、上記式（１）で示される構造を有する化合物を９部とした以外は、実施例１と同様にして電子写真感光体を作製し、評価した。結果を表１に示す。
【実施例４】
【００７７】
実施例３において、電荷発生層の膜厚を１．０μｍとした以外は、実施例３と同様にして電子写真感光体を作製し、評価した。結果を表１に示す。
【実施例５】
【００７８】
実施例１において、電荷発生層用塗布液のヒドロキシガリウムフタロシアニンを７部とし、上記式（１）で示される構造を有する化合物を３部とした以外は、実施例１と同様にして電子写真感光体を作製し、評価した。結果を表１に示す。
【００７９】
（比較例２）
実施例５において、上記式（１）で示される構造を有する化合物を使用しない以外は、実施例５と同様にして電子写真感光体を作製し、評価した。結果を表１に示す。
【実施例６】
【００８０】
実施例１において、電荷発生層用塗布液のヒドロキシガリウムフタロシアニン４部を、下記式
【００８１】
【化６】
2005091726.tif 000007
【００８２】
で示される構造を有し、ＣｕＫα特性Ｘ線回折におけるブラッグ角２θ±０．２°の９．０°、１４．２°、２３．９°、２７．１°に強いピークを有する結晶形のオキシチタニウムフタロシアニン４部に変更し、また、シクロヘキサノンを６０部とし、エチルアセテートを１００部とし、また、電荷発生層の膜厚を０．３μｍとした以外は、実施例１と同様にして電子写真感光体を作製し、評価した。結果を表１に示す。
【００８３】
【表１】
2005091726.tif 000008
【００８４】
なお、表１中、画像の評価基準は次のとおりである。
Ａ：ハーフトーン上にべた画像の残像（ゴースト）がほとんど見えない
Ｂ：ハーフトーン上にべた画像の残像（ゴースト）がぼんやりとしか見えない
Ｃ：ハーフトーン上にべた画像の残像（ゴースト）が薄いがくっきり見える
Ｄ：ハーフトーン上にべた画像の残像（ゴースト）が見える
【図面の簡単な説明】
【００８５】
【図１】本発明の中間転写方式の電子写真装置の概略構成の一例を示す図である。
【符号の説明】
【００８６】
１Ｙ  第１色用電子写真感光体
１Ｍ  第２色用電子写真感光体
１Ｃ  第３色用電子写真感光体
１Ｋ  第４色用電子写真感光体
２Ｙ  軸
２Ｍ  軸
２Ｃ  軸
２Ｋ  軸
３Ｙ  第１色用帯電手段
３Ｍ  第２色用帯電手段
３Ｃ  第３色用帯電手段
３Ｋ  第４色用帯電手段
４Ｙ  露光光
４Ｍ  露光光
４Ｃ  露光光
４Ｋ  露光光
５Ｙ  第１色用現像手段
５Ｍ  第２色用現像手段
５Ｃ  第３色用現像手段
５Ｋ  第４色用現像手段
６Ｙ  第１色用一次転写手段
６Ｍ  第２色用一次転写手段
６Ｃ  第３色用一次転写手段
６Ｋ  第４色用一次転写手段
６ｓ  二次転写手段
７Ｙ  第１色用クリーニング手段
７Ｍ  第２色用クリーニング手段
７Ｃ  第３色用クリーニング手段
７Ｋ  第４色用クリーニング手段
７ｂ  中間転写体用クリーニング手段
８  定着手段
１１  中間転写体
１２  張架ローラー
１３  二次転写対向ローラー
Ｐ  転写材
【図１】
2005091726.tif 000011